(57)【特許請求の範囲】
【請求項１】
基台の前後両端に回転自在に取り付けられた支持具にスライダーが摺動するレールを取り付け、更に前記スライダーには回転刃を取りつけ、常時は弾性部材により上方に弾発支持されレール下方端面より前記回転刃を露呈することはなく、また、切断時にはスライダーを下方に押しやることで回転刃をレール下方端面より露呈し切断物を切断可能とするカッターにおいて、スライダー内壁面とレール上面の空間Ｈに、弧状分銅を取り付けた軸をスライダーの内壁面の前後面に回転可能に架設し、スライダー内壁面に切欠を設け、前記切欠に分銅が回転挿入されるとともにスライダーが下向きに押圧された時、回転刃がレール下方端面から露呈しないことを特徴とするカッター。
【発明の詳細な説明】
【０００１】
【発明の属する技術分野】
本発明は、回転刃を有するスライダーを下方に押圧しながらレールに沿って摺動させることにより紙を切断するペーパー用カッターに関するものである。
【０００２】
【従来の技術】
従来より、回転刃を有するスライダーを下方に押圧しながらレールに沿って摺動させることにより回転刃が基台にセットされた紙を押し付けた状態で回転し、これにより紙を切断することができるペーパー用カッターは知られており、例えば、米国特許５，３２２，００１号、特開平１０−３４５９２号などに開示されている。この種のペーパー用カッターは、基台の前後両端に回動自在に取り付けられた支持具にてレールを保持し、そのレールに回転刃を有するスライダーを摺動自在かつ昇降自在に装着してあるもので、そのスライダーは弾発部材により常時は上方に弾発支持されており、回転刃の刃先は常時はレールの下端よりも上方に位置しているものである。そして、切断しようとする紙を基台にセットしたりスライダーに保持された回転刃を交換する作業は、支持具を回動させてレールを上方に位置させた状態で行うものとしており、紙をセットした後や回転刃を交換した後には、再度支持具を回動させてレールを下方に位置させるものとしている。
【０００３】
【発明が解決しようとする課題】
ところが、従来のこの種のペーパー用カッターではスライダーがレールに対して常に昇降自在となっているため、支持具を回動させてレールを上方もしくは下方に位置させる時や、紙を基台にセットしたり回転刃を交換する時に、例えばスライダーを手で握るようにして持つなどして、スライダーを常時上方に弾発支持している弾発部材の弾発力に抗する力がスライダーに少しでも加わると、スライダーが下降して回転刃の刃先がレールの下端より突出してしまい、その刃先で指を傷つけてしまう恐れがあった。そこで、本発明はそのような問題点を解消して、基台に紙をセットする時や回転刃を交換する時において指を傷つける恐れのない安全性の高いペーパー用カッターを提供することを目的とするものである。
【０００４】
【課題を解決するための手段】
基台の前後両端に回転自在に取り付けられた支持具にスライダーが摺動するレールを取り付け、更に前記スライダーには回転刃を取りつけ、常時は弾性部材により上方に弾発支持されレール下方端面より前記回転刃を露呈することはなく、また、切断時にはスライダーを下方に押しやることで回転刃をレール下方端面より露呈し切断物を切断可能とするカッターにおいて、スライダー内壁面とレール上面の空間Ｈに、弧状分銅を取り付けた軸をスライダーの内壁面の前後面に回転可能に架設し、スライダー内壁面に切欠を設け、前記切欠に分銅が回転挿入されるとともにスライダーが下向きに押圧された時、回転刃がレール下方端面から露呈しないことを特徴とするカッターである。
【０００５】
【実施例】
本発明の実施例について図１、図２、図３、図４、図５、図６より詳細に説明する。
１は、基台であり前後端に支持具２を回転可能に設けている。また、前記基台１の上面には回転刃５を保護する保護シートが設けられ、更に紙合わせ様に目盛が設けられている。（目盛は図示せず）この保護シートは張り替え自在であり、回転刃５の切断作業において回転刃５の保護をするものである。
３は、略コ字状のレールであり、両端を支持具２に取りつけられている。上辺は、下辺より短くなっている。更に、下辺には弾性部材６を誘導案内する辺を設けてもよい。
【０００６】
４は、スライダーであり、レール３のコ字内に誘導部９を挿入させ、コ字下辺内面に弾発部材６にて前記レール３のコ字内に挿入された誘導部９を上辺内面に押圧して、スライダー４全体を弾発保持しており、前記レール３を前後に摺動する。また、レール３のコ字側に回転刃５が、カバー７によりほとんどを覆い隠し、前記回転刃５をスライダー４に回転可能に保持している。前記スライダー４の上部には押圧力を受ける作動部８が設けられている。
前記カバー７とスライダー４の固定方法は、着脱自在であれば圧入固定、クリック嵌合、仮接着固定であろうと問わない。
【０００７】
この時、レール３の上辺の上面とスライダー４の内壁面１０で空間Ｈが作られる。
また、前記スライダー４の内壁面には、レール方向で平行に軸１１が回転可能に架設され、前記軸１１に弧状分銅１２を弧の内側（凹側）で固定されている。
前記スライダー４の内壁面１０の上面１３には切欠１７が設けられており、切欠１７の天面１４は回転刃５側にテーパーを有している。
【０００８】
５は、回転刃であり中心に取付軸１５を設けており、前記取付軸１５はカバー７とスライダー４に設けられた支持穴１６により回転可能に支持されており、同時に回転刃５を取り替えする際に手等で摘み取ることが出来る。
６は、前記したように弾性部材であり、本発明の実施例は板状でハ字形のプラスチック製のばねであるが、スプリングバネ等、常にスライダー４の誘導部９をコ字状でレールの上辺の内面に押圧でき、スライダー４全体を上方に弾発支持しておればよい。
【０００９】
１２は、軸１１に取り付けられた弧状の分銅であり、金属性が望ましい。
本実施例は、直接軸１１に分銅１２を取りつけているが、第２の分銅１２Ａの実施例は軸１１Ａから離し錨形状にして取りつけても良い（図７に示す）。
空間Ｈが大きければ図７の分銅を使用することも可能である。
前記軸１１はスライダー４の内壁面１０の前後面に回転可能に設けられている。本発明の分銅１２は、弧状の凹側に軸１１を設けており、重力方向に対して常に凹側が上にくるように作動する。
【００１０】
本発明の作動について詳細に説明する。（重力方向は図の上から下に向かっている。）
常時（レール３及び支持具２を基台１に近づけ、回転刃５を基台１に対して垂直位置にした状態では）、分銅１２は回転刃５側の端面を上面１３に当接しない状態でバランスを保っており（図２の状態で）スライダー４とともに上下動可能としている。
従って、空間Ｈの上下間隔が短くなれば回転刃５がレール３の下端面から露呈し、紙等の切断物を切断（カット）可能となり、この状態でレール３に沿ってスライダー４を動かせば切断（カット）出来る。
【００１１】
回転刃５を交換する際には、図３のごとくレール３及び支持具２を回転させ、基台１から離す（回転刃５と基台１は、垂直関係から外れることになる。）。すなわち、重力方向からわずかに回転刃５がずれることになる。
こうした時、回転刃５が重力方向から少しずつずれていくので、そのずれに伴って分銅１２が軸１１を中心にしてバランスを取るために回転運動を開始する。
【００１２】
すると、分銅１２の回転刃５より離れた端面はスライダー４の上面１３に設けられた切欠１７にのぞむことになる。ここで例えば、スライダー４を回転刃５がレール３の下端面から露呈するように押圧すると、切欠１７の天面１４にテーパーが回転刃５の方向に向かってついているので、分銅１２は天面１４に押圧され図２でいうと時計の回転方向に導かれて、結果的に図４の状態になる。
こうして、極わずか重力方向からずれただけでも、分銅１２は切欠１７内に導かれスライダー４がレール３に沿って上下動する動きを不可能にする。
【００１３】
最終的に、支持具２、レール３、スライダー４が図３の状態になると、スライダー４に設けられた回転刃５は重力方向に対して水平関係に近くなり、スライダー４の内部では分銅１２が完全に切欠１７の天面１４のテーパーが設けられ狭い位置に位置し、スライダー４がレール３の下端面から回転刃５を露呈する方向への押圧作用に対してロックされる。
こうして空間Ｈは、分銅１２により塞がれスライダー４が押圧力を受けても、レール３の下端面から回転刃５を露呈することがない。
【００１４】
従って、安全に回転刃５の交換作業が行えるとともに、不用意に触っても回転刃５が露呈しないので手等を傷つけることもない。
また本発明の構成では、回転刃５が基台１に垂直関係にあっても、基台１が置かれている場所が斜めの場合（回転刃５が重力方向からずれている状態）であると、分銅１２は切欠１７にのぞむことになりスライダー４に押圧力が作用しても、回転刃５がレール３の下端面より露呈することはない。従って、不安定な場所で作業できないようになり安全性を確保できる。
【００１５】
材質は、回転刃５は鋼であり、レール３はスチール、分銅１２はスチールが好ましい。
プラスチック部材は、スライダー４と基台１、支持部２で作られている。
【００１６】
【効果】
以上の様な構成であるので、回転刃５を交換する際、少しレール３及び支持具２を基台１より持上げると分銅１２が作用して空間Ｈを塞ぎ、不用意にスライダー４に触り、スライダー４は回転刃５がレール３の下端面から露呈する方向に作用しても回転刃５がレール３から露呈することはない。
また回転刃５が基台１に垂直関係にあっても、基台１が置かれている場所が斜めで不安定であると、分銅１２は切欠１７にのぞむことになりスライダー４に押圧力が作用しても、回転刃５がレール３の下端面より露呈することはない。従って、不安定な場所で作業できないようになり安全性を確保できるカッターである。
【００１７】
【図面の簡単な説明】
【図１】実施例の全体斜視図。
（回転刃５と重力方向が垂直関係である。）
【図２】実施例の図１にある時のスライダー略断面説明図。
【図３】実施例の支持具及びレールを作用させた時の一部斜視図。
（回転刃５と重力方向が水平方向に移っている場合）
【図４】実施例の図３の状態のスライダー略断面説明図。
【図５】分銅と軸の拡大斜視図。
【図６】スライダーの背面説明図
【図７】分銅の第２の実施例である説明図。
【符号の説明】
１：基台
２：支持具
３：レール
４：スライダー
５：回転刃
６：弾性部材
７：カバー
８：作動部
９：誘導部
１０：内壁面
１１：軸
１２：分銅
１３：上面
１４：天面
１５：取付軸
１６：支持穴
１７：切欠
【図１】
0004252651.tif 000002
【図２】
0004252651.tif 000003
【図３】
0004252651.tif 000004
【図４】
0004252651.tif 000005
【図５】
0004252651.tif 000006
【図６】
0004252651.tif 000007
【図７】
0004252651.tif 000008